(57)【特許請求の範囲】
【請求項１】
表面が絶縁処理された導電性材料よりなり内部に電気部品が収容されるケース体、及び表面が絶縁処理された導電性材料よりなり上記ケース体にねじ止めされてこのケース体の開口を閉止した閉塞板を備え、かつ、取付け孔を有した取付け片が上記閉塞板に突出形成された防水型ケースと；
上記防水型ケースの壁に形成した孔にセルフタッピングによりねじ込まれた導電性のアース用ねじと；
上記防水型ケースに収容され、上記アース用ねじにアース接続されるとともにこのアース用ねじにより上記防水型ケースに固定された点灯装置と；
を具備していることを特徴とする点灯装置を収容した防水型ケース装置。
【請求項２】
照明器具本体と；
請求項１記載の防水型ケース装置と；
この防水型ケース装置の取付け片の取付け孔を挿通して上記防水型ケース装置を上記照明器具本体に固定する取付けねじと；
この取付けねじが挿通するとともに上記取付け片と上記照明器具本体とで挟まれて上記防水型ケースと上記照明器具本体とを電気的に接続する歯付き座金と；
を具備することを特徴とする照明器具。
【発明の詳細な説明】
【０００１】
【発明の属する技術分野】
本発明は、防水構造を保ち、かつ収容された点灯装置のアース接続をなした防水型ケース装置及びこの装置を備えた照明器具に関する。
【０００２】
【従来の技術】
例えば屋外設置形の照明器具においては、点灯装置などの電気部品を雨水等から保護するために、この点灯装置などの電気部品を防水構造の電気部品収納ケースに収容し、この電気部品収納ケースを照明器具本体に取付けるようになっている。
【０００３】
しかしながら、電気部品に１５０Ｖ以上の電圧が加わるような電気器具の場合は規格により電気部品をアース接続することが義務付けられている。通常、電気部品をアース接続する場合、電気部品に直接アース線を接続し、このアース線をケースの外部に引き出す構造が採用される。
【０００４】
【発明が解決しようとする課題】
しかしながら、ケースが防水構造である場合は液密封止が必要であり、上記のようなアース線をケースの外部に引き出す構成であると、このアース線の引き出し部で液密が損なわれてしまい、漏水する心配がある。したがって、このようなアース線の引き出し部は液密構造にしなければならないが、この液密封止構造は複雑になり、部品点数が増加する心配がある。
【０００５】
これに対し、防水ケースを導電体で形成した場合は、収容した電気部品をケースにアース接続し、このケースのいずれかの箇所に外部のアース線を接続することが考えられる。このようにすれば、防水ケース自身がアース導電部材となるからアース接続のための格別な開口を形成する必要がなくなり、格別な液密封止構造が不要になる。
【０００６】
しかしながら、防水ケースが、例えばアルミニウムなどからなり、表面にアルマイト処理などのような絶縁・防錆処理等が施されている場合は、表面を利用して電気的な導通ができず、したがって防水ケースにアース接続のための格別な開口を形成する必要があり、このようにすると漏水の心配がある。
【０００７】
すなわち、従来の構造の場合、電気部品を収容した防水構造のケースのアース接続をする場合、液密が十分でなく、しかも構造が複雑になるという問題があった。
【０００８】
本発明はこのような事情にもとづきなされたもので、その目的とするのは、点灯装置を収容した防水型ケースの液密封止を保ち、しかも簡単な構造でアース接続が可能になる防水型ケース装置及びこの装置を備えた照明器具を提供しようとするものである。
【０００９】
【課題を解決するための手段】
上記目的を達成するため請求項１の発明は、表面が絶縁処理された導電性材料よりなり内部に電気部品が収容されるケース体、及び表面が絶縁処理された導電性材料よりなり上記ケース体にねじ止めされてこのケース体の開口を閉止した閉塞板を備え、かつ、取付け孔を有した取付け片が上記閉塞板に突出形成された防水型ケースと；上記防水型ケースの壁に形成した孔にセルフタッピングによりねじ込まれた導電性のアース用ねじと；上記防水型ケースに収容され、上記アース用ねじにアース接続されるとともにこのアース用ねじにより上記防水型ケースに固定された点灯装置と；を具備していることを特徴とする点灯装置を収容した防水型ケース装置である。
【００１０】
請求項１の発明によると、防水型ケースにねじ込まれた導電性のアース用ねじは、セルフタッピングにより防水型ケースにねじ込まれているから、アース用ねじのねじ部と防水型ケースの壁に形成された孔が相互に接触する。したがってアース用ねじは防水型ケースに対して電気的に導通し、このアース用ねじに点灯装置がアース接続されるので、この点灯装置と防水型ケースとがアース用ねじを介して電気的に接続されることになる。
【００１１】
しかもこの場合、アース用ねじのねじ部と防水型ケースの壁に形成された下孔の内面はセルフタッピングにより相互に密着しているから下孔は液密に閉止されるようになり、防水型ケースの液密が保たれる。
【００１２】
そして、上記アース用ねじに点灯装置を機械的に結合したので、このアース用ねじで上記防水型ケース内に点灯装置を固定できる。
【００１３】
請求項２の発明は、照明器具本体と；請求項１記載の防水型ケース装置と；この防水型ケース装置の取付け片の取付け孔を挿通して上記防水型ケース装置を上記照明器具本体に固定する取付けねじと；この取付けねじが挿通するとともに上記取付け片と上記照明器具本体とで挟まれて上記防水型ケースと上記照明器具本体とを電気的に接続する歯付き座金と；を具備することを特徴とする照明器具である。
請求項２の発明によると、防水型ケース装置を照明器具本体に固定した部分で、歯付き座金を用いて防水型ケース装置を照明器具本体にアース接続できる。
【００１６】
【発明の実施の形態】
以下本発明について、図示する一実施の形態にもとづき説明する。図１は防水型電気部品収納ケース装置（以下防水型ケース装置という）の分解した斜視図、図２は防水型ケース装置に収容された安定器ユニットを分解した斜視図、図３は防水型ケース装置の一部を示す分解した断面図、図４はその組付け状態の断面図、図５は防水型ケース装置のアース用ねじのまわりを分解して示す断面図、図６はその組付け状態の断面図、図７は上記防水型ケース装置を備えた照明器具の斜視図である。
【００１７】
図１ないし図６において、１は防水型ケースであり、この防水型ケース１は、両端が開口された中空のケース本体１０と、このケース本体１０の両端に設けられたパッキング１１，１１と、上記ケース本体１０の両端を閉止する閉塞板１２，１２とを備えている。ケース本体１０は、例えばアルミニウム等の導電性金属材料により押し出し成形されており、内面および外面には図５および図６に示すように、防錆のためのアルマイト（耐蝕性酸化被膜）処理１０ａ、１０ｂされており、これらアルマイト処理面１０ａ、１０ｂにより上記内面および外面はそれぞれ黒色に着色されている。
【００１８】
このケース本体１０には、断面の底辺両端および上辺中央部にそれぞれ長手方向に沿って溝部１３…が形成されており、これら溝部１３…の端部は上記ケース本体１０の両端開口部に臨んで開口されている。
【００１９】
このようなケース本体１０の両端開口部には上記パッキング１１，１１が取付けられている。パッキング１１，１１は、例えばクロロプレンからなり、ケース本体１０の開口部に嵌合する嵌挿部１４と、この嵌挿部１４と段差をなして上記ケース本体１０の開口面に当接されるフランジ部１５を有している。このパッキング１１，１１の嵌挿部１４は上記ケース本体１０の開口部に嵌まり込むとともに、上記フランジ部１５はケース本体１０の開口面に当接することによって上記ケース本体１０の開口部を液密に閉止する。なお、一方のパッキング１１にはリード線挿通孔１６…が形成されている。これらリード線挿通孔１６…の大きさは、ここから引き出される図示しないリード線が液密に貫通する程度の大きさに形成されている。
【００２０】
パッキング１１，１１は前記閉塞板１２，１２によりケース本体１０の開口部に固定されている。閉塞板１２，１２も例えばアルミニウム等の導電性金属材料により形成されており、内面および外面がともに防錆のためにアルマイト（耐蝕性酸化被膜）処理されている。閉塞板１２の周縁部には筒形をなす覆い部１６が形成されており、この覆い部１６はケース本体１０の開口部の外周を覆うようになっている。このような閉塞板１２は固定ねじ１７により上記ケース本体１０に固定されている。固定ねじ１７は、閉塞板１２に形成された挿通孔１８を貫通され、上記ケース本体１０に形成した溝部１３の端部に螺合されるようになっており、この固定ねじ１７を溝部１３の端部に捩じ込んで締め付けると、閉塞板１２がケース本体１０の開口部に固定され、これにより閉塞板１２とケース本体１０の開口部の間でパッキング１１が挾持されるようになっている。このため、パッキング１１はケース本体１０の開口部と閉塞板１２との間の液密封止をなす。そして、この場合、閉塞板１２の覆い部１６が本体１０の開口部外周を覆っており、これによりさらにケース本体１０の開口部と閉塞板１２との液密を確実なものとしている。
【００２１】
上記一方の閉塞板１２には、上記パッキング１１に形成したリード線挿通孔１６…に対向してリード線引出し孔１９…が形成されている。また、閉塞板１２，１２にはそれぞれ取付け片２０が突出して形成されており、この取付け片２０には取付け孔２１が形成されている。この取付け孔２１には、後述する取付けねじ４２が挿通されるようになっており、この取付けねじ４２により上記防水形電気部品収納ケース１は照明器具本体４０に固定されるようになっている。
【００２２】
上記のような防水構造の電気部品収納ケース１には、電気部品が収容されている。電気部品は、特にその部品を特定するものではないが、本実施例では蛍光ランプ点灯用のインバータ点灯装置、すなわち電子点灯回路部品を収容してある。蛍光ランプのインバータ点灯装置は、詳図しないが高周波を発信するのに必要な電子回路部品、例えばトランジスタ、ダイオード、ＦＥＴ、サイリスタ等のスイッチング素子、ノイズフィルタ、全波整流器、電解平滑コンデンサ、チョークバラスト、直流カットコンデンサや共振用インダクタ、共振用コンデンサなどにより構成されている。これら電子点灯回路部品２２…はプリント配線基板（ＰＣ基板）２３に実装されている。
【００２３】
そして、本実施例では、電子点灯回路部品２２…を実装してなる上記ＰＣ基板２３が安定器ケース２４に収容されており、この安定器ケース２４が前記防水形電気部品収納ケース１に収容されるようになっている。
【００２４】
電子点灯回路部品２２…を実装したＰＣ基板２３を安定器ケース２４に収容した安定器ユニットは、標準品とされており、したがって本実施例では標準品の安定器ユニットを用いる場合について説明するものである。
【００２５】
安定器ケース２４は、導電性板金からなるケース基体２５と、このケース基体２５を覆うカバー２６とを備え、これらケース基体２５およびカバー２６とに囲まれた空間に上記ＰＣ基板２３が収容されている。なお、これらケース基体２５およびカバー２６には放熱孔２７…が開口されている。
【００２６】
そして、図示を省略するが、ＰＣ基板２３と上記ケース基体２５との間はアース接続されており、ＰＣ基板２３に実装された電子点灯回路部品２２…はＰＣ基板２３を通じてケース基体２５に接地されている。
【００２７】
上記ケース基体２５には、両端にそれぞれ固定片２８が突出して形成されており、この固定片２８には固定孔２９が形成されている。この固定孔２９には、後述するアース用ねじ３０が挿通されるようになっている。このアース用ねじ３０とこれに螺合したナット３１により安定器ケース２４が上記防水型ケース１に機械的に支持されるようになっている。
【００２８】
上記アース用ねじ３０は、本発明の導電性ねじに相当するものであり、ねじ部がメートルねじとなっているセルフタッピングねじ、例えばタップタイト（商品名）により形成されている。このアース用ねじ３０は図３ないし図６に示すように、防水型ケース１に形成した下孔３２に螺挿されている。この場合、下孔３２は予めアース用ねじ３０のねじ部外径より小さな内径に形成されており、この下孔３２に上記アース用ねじ３０を捩じ込むとセルフタッピング作用によりアース用ねじ３０が下孔３２にねじ溝を切削しつつ螺合されるようになっている。
【００２９】
このようなアース用ねじ３０を下孔３２に螺挿すると、アース用ねじ３０の先端部は防水型ケース１の内面に突出する。この突出先端部に前記安定器ケース２４に形成した固定片２８の固定孔２９を挿入させる。そして、この固定孔２９から突出した上記アース用ねじ３０の先端にナット３１を螺挿してこれを締め付けると、上記安定器ケース２４はこのアース用ねじ３０によって防水型ケース１に固定されるようになっている。
【００３０】
なお、アース用ねじ３０のねじ頭部の座面に、図５に示すように、接着剤や塗料、オイル、ワニス、ゴムパッキング等の介在物３３を設けると、これら介在物３３がアース用ねじ３０の緩み止めをなすとともに、アース用ねじ３０とこれによりセルフタッピングされた下孔３２との間の液密をなす。また、セルフタッピングの後に、アース用ねじ３０のねじ頭部に、図６に示すように、防錆剤や接着剤、塗料、オイル、ワニスなどの塗布剤３４を塗布すれば、アース用ねじ３０の頭部の錆止めをなすとともに、アース用ねじ３０とこれによりセルフタッピングされた下孔３２との間の液密をなす。
【００３１】
このような構成の防水型電気部品収納ケース１によれば、ケース本体１０の両端開口部がパッキング１１および閉塞板１２で閉塞されており、特にパッキング１１がケース本体１０の開口部と閉塞板１２と間で挾持されているから、ケース１の防水が保たれる。したがってこの防水型ケース１に収容した電子点灯回路部品２２…に雨水などが侵入するのが防止され、防水が保たれる。
【００３２】
そして、上記電子点灯回路部品２２…はＰＣ基板２３にア−ス接続されており、このＰＣ基板２３は安定器ケース２４のケース基体２５に対してアース接続されている。ケース基体２５は、両端に形成した固定片２８の固定孔２９にアース用ねじ３０が挿通されており、アース用ねじ３０に螺合したナット３１により防水型ケース１に固定されている。上記アース用ねじ３０はセルフタッピング部分が防水型ケース１の壁に密着しているため、上記安定器ケース２４はアース用ねじ３０を介して防水型ケース１の壁と電気的に導通状態となっている。すなわち、安定器ケース２４はアース用ねじ３０を介して防水型ケース１にアース接続されている。防水型ケース１は端部に設けた取付け片２０の取付け孔２１を介して外部にアース接続することができる。
【００３３】
よって、電子点灯回路部品２２は、ＰＣ基板２３／安定器ケース２４／固定片２８／アース用ねじ３０／防水型ケース１／取付け片２０の経路でアース接続されることになる。
【００３４】
この場合、防水型ケース１のケース本体１０は内面および外面が防錆のためにアルマイト処理１０ａ、１０ｂされており、これらアルマイト処理面１０ａ、１０ｂは絶縁層となっているのでケース本体１０の内面および外面は導電面として使用することができない。しかし、防水型ケース１の壁を貫通しているアース用ねじ３０のねじ部は、防水型ケース１の壁に対してセルフタッピングにより密着しているから、アース用ねじ３０と防水型ケース１の壁との電気的接続が確実になされるとともに、アース用ねじ３０が貫通されることにより開口されたねじ孔はアース用ねじ３０のねじ部の密着によって閉塞されることになる。よって、アース接続部の液密封止がなされる。
【００３５】
そして、このような構造であれば、防水型ケース１の壁に対してアース用ねじ３０をセルフタッピングにより捩じ込む構造であるから、構造が簡単であり、部品点数も少なくてすむ。
【００３６】
また、安定器ケース２４は両端に形成した固定片２８がアース用ねじ３０およびナット３１により防水型ケース１に固定されているから、安定器ケース２４が防水型ケース１に対して機械的な固定がなされる。仮に、安定器ケース２４を固定せずに防水形ケース１内に収容したままであると、安定器ケース２４が防水形ケース１内で移動するおそれがある。そして、安定器ケース２４の両端部をパッキング１１，１１に当接させることによりこれらパッキング１１，１１で安定器ケース２４を支持することも考えられるが、このような場合は安定器ケース２４の長さと両端部のパッキング１１，１１の離間寸法を高精度に管理しなければならず、加工や組立てに手間を要し、わずかな寸法ばらつきが生じても安定器ケース２４を確実に支持することができなくなる。これに対し、本例のように安定器ケース２４をアース用ねじ３０を用いて防水型ケース１に固定するようにすれば、安定器ケース２４を確実に防水型ケース１に対して機械的に固定することができ、しかも格別な部品が不要であるから、安定器ケース２４の固定構造が簡単になる。
【００３７】
さらに、防水型ケース１のケース本体１０は内面および外面が防錆のためにアルマイト処理１０ａ、１０ｂされており、これら表面は黒色に着色されているから、内部に収容した電子点灯回路部品２２が発熱しても、この熱を防水型ケース１の外に有効に放出することができる。すなわち、防水型ケース１は液密に閉塞されることから電子点灯回路部品２２より発せられる熱を外部に逃がし難い構造になり、防水型ケース１内の温度が上昇する心配がある。これに対し、防水型ケース１の内面を黒色に着色してあると、電子点灯回路部品２２から発せられた熱は黒色表面を通じて防水型ケース１に効率よく吸収されるようになり、この防水型ケース１の広い面積をもつ外面から放熱される。また、防水型ケース１の外面を黒色に着色してある場合は、防水型ケース１の広い面積をもつ黒色の外面から黒体放射により効率よく放熱される。
【００３８】
したがって、防水型ケース１の内面および外面を黒色に着色すれば、内部に収容した電子点灯回路部品２２の熱を効果的に放出することができ、熱がこもり勝ちな防水型ケース１内の温度上昇を抑止することができ、電子点灯回路部品２２および防水型ケース１自身の熱劣化を防止することができる。なお、黒色着色は、防水型ケース１の内面および外面のいずれか一方であってもよい。
【００３９】
上記のような構造の防水型ケース１は、図７に示すように、照明器具に取付けられる。図７において４０は板金製照明器具本体であり、両端部にソケット４１，４１が取着されており、これらソケット４１，４１には図示しない蛍光ランプが取付けられる。上記照明器具本体４０には、前記した防水型ケース１がねじ止めされる。すなわち防水型ケース１の閉塞板１２，１２には前述したように取付け片２０が形成されているのでこの取付け片２０に形成した取付け孔２１に取付けねじ４２を挿通して固定するようになっている。取付けねじ４２は照明器具本体４０の上面側から照明器具本体４０に挿通され、この取付けねじ４２は上記防水型ケース１の取付け孔２１を貫通し、この取付けねじ４２にナット４３を螺合すれば、防水型ケース１が照明器具本体５０に固定される。
【００４０】
この場合、取付けねじ４２に歯付き座金４４を挿通させ、この歯付き座金４４を照明器具本体５０と取付け片２０とで挾み付けることによりこの歯付き座金４４をケース本体１０の外面に当接させるようになっており、これにより歯付き座金４４が取付け片２０の外面に形成されているアルマイト処理面を破って閉塞板１２と電気的に接続される。このため、防水型ケース１は歯付き座金４４および取付けねじ４２を介して照明器具本体４０に電気的に接続されるようになる。よって防水型ケース１は照明器具本体４０にアース接続されることになり、前記電子点灯回路部品２２は、ＰＣ基板２３／安定器ケース２４／固定片２８／アース用ねじ３０／防水型ケース１／歯付き座金４４／取付けねじ４２を介して照明器具本体４０にアース接続されることになる。
【００４１】
また、照明器具本体４０を外部にアース接続したい場合は、上記取付けねじ４２にアース線４５の接続端子４６を接続し、この接続端子４６を固定ナット４７で締め付けると、照明器具本体４０はアース線４５を通じて外部にアース接続することができる。
【００４２】
なお、上記実施例では、照明器具に用いられる電子点灯回路部品２２を防水型ケース１に収容した例を説明したが、照明器具の電気部品は電子点灯回路部品２２に限らず、チョーク形安定器であってもよい。
【００４３】
また、上記実施例では、電子点灯回路部品２２を安定器ケース２４に収容し、この安定器ケース２４を防水型ケース１に収容して２重ケースの構造にしたが、本発明はこれに限らず、安定器ケース２４を使用せずに直接防水型ケース１に電子点灯回路部品２２、またはチョーク形安定器を収容する場合であっても実施可能である。
【００４４】
さらに、防水型ケース１の内面および外面を黒色に着色する場合は、アルマイト処理面に限らず、黒色塗料を塗るなどの手段であってもよい。
【００４５】
【発明の効果】
以上説明した通り請求項１の発明の点灯装置を収容した防水型ケース装置によれば、導電性のアース用ねじをセルフタッピングにより防水型ケースにねじ込み、このアース用ねじとケースに収容した点灯装置を電気的に接続したから、点灯装置と防水型ケースがアース用ねじを介して電気的に接続されることになる。そしてこの場合、アース用ねじのねじ部と防水型ケースの壁に形成された孔の内面はセルフタッピングにより相互に密着しているから孔は液密に閉止されるようになり、防水型ケースの液密が保たれる。よって、防水型ケースの液密封止が保たれ、しかも簡単な構造でアース接続が可能になる。
【００４６】
請求項２の発明の照明器具によれば、防水型ケース装置を照明器具本体に固定した部分で、歯付き座金を用いて防水型ケース装置を照明器具本体にアース接続できる。
【図面の簡単な説明】
【図１】本発明の一実施の形態を示す防水型ケース装置を分解した斜視図。
【図２】防水形ケースに収容された安定器ユニットを分解した斜視図。
【図３】防水型ケース装置の一部を示す分解した断面図。
【図４】同防水型ケース装置の一部の組付け状態の断面図。
【図５】同防水型ケース装置のアース用ねじのまわりを分解して示す断面図。
【図６】同防水型ケース装置のアース用ねじのまわりを組付け状態で示す断面図。
【図７】同防水型ケース装置を備えた照明器具を分解した斜視図。
【符号の説明】
１…防水型ケース（防水型電気部品収容ケース）
１０…ケース本体
１０ａ，１０ｂ…アルマイト処理面
１１…パッキング
１２…閉塞板
１７…固定ねじ
２０…取付け片
２１…取付け孔
２２…電子点灯回路部品
２３…ＰＣ基板
２４…安定器ケース
２５…ケース基体
２６…カバー
２８…固定片
３０…アース用ねじ
３１…ナット
３２…下孔
４０…照明器具本体
４１…ソケット
４２…取付けねじ
４３…ナット
４４…歯付き座金
【図１】
0003747506.tif 000002
【図２】
0003747506.tif 000003
【図３】
0003747506.tif 000004
【図４】
0003747506.tif 000005
【図５】
0003747506.tif 000006
【図６】
0003747506.tif 000007
【図７】
0003747506.tif 000008